(57)【要約】【課題】大きさの異なる複数種類の発光ダイオードを選択的に保持できるとともに、各々の発光ダイオードを確実に保持できる発光ダイオード用ホルダーを提供する。【解決手段】発光ダイオード用ホルダー１は、相対的に大きい発光ダイオードを保持する保持部２と、保持部２の中空部分に配置され、相対的に小さい発光ダイオード２０を保持する保持部３と、保持部２と保持部３とを連結する連結部４とを備える。保持部２および３は、発光ダイオードの側面部の全体に接触する内壁を含む。保持部２によって相対的に大きい発光ダイオードを保持する場合、連結部４が切断されることによって発光ダイオード用ホルダー１から保持部３が取り除かれる。【選択図】        図２
2005019613.tif 000002
【特許請求の範囲】
【請求項１】
発光素子と、先端部および前記発光素子から発せられた光の光軸に沿った方向に延在する側面部を含み、前記発光素子を覆う透明樹脂とを備える発光ダイオードを、大きさが異なる複数種類について選択的に保持することが可能な発光ダイオード用ホルダーであって、
発光ダイオードの前記側面部の全体に接触する第１の内壁と、前記第１の内壁に連なる第１の頂面とを含み、相対的に大きい発光ダイオードを保持する中空状の第１の保持部と、
発光ダイオードの前記側面部の全体に接触する第２の内壁と、前記第２の内壁に連なり、前記第１の頂面とほぼ同一平面上に延在する第２の頂面とを含み、前記第１の保持部の中空部分に配置され、相対的に小さい発光ダイオードを保持する中空状の第２の保持部と、
前記第１の保持部と前記第２の保持部とを連結し、かつ前記第１および第２の頂面に近接して設けられた連結部とを備え、
前記第１の保持部によって相対的に大きい発光ダイオードを保持する場合、前記連結部が切断されることによって発光ダイオード用ホルダーから前記第２の保持部が取り除かれ、前記第２の保持部によって相対的に小さい発光ダイオードを保持する場合、前記連結部によって前記第１の保持部と前記第２の保持部とが連結された状態が維持され、
発光ダイオード用ホルダーがプリント配線板の主表面上に配置される場合、前記主表面から相対的に大きい発光ダイオードの前記先端部までの距離と、前記主表面から相対的に小さい発光ダイオードの前記先端部までの距離とはほぼ等しい、発光ダイオード用ホルダー。
【請求項２】
発光素子と、前記発光素子から発せられた光の光軸に沿った方向に延在する側面部を含み、前記発光素子を覆う透明樹脂とを備える発光ダイオードを、大きさが異なる複数種類について選択的に保持することが可能な発光ダイオード用ホルダーであって、
発光ダイオードの前記側面部の全体に接触する第１の内壁を含み、相対的に大きい発光ダイオードを保持する中空状の第１の保持部と、
発光ダイオードの前記側面部の全体に接触する第２の内壁を含み、前記第１の保持部の中空部分に配置され、相対的に小さい発光ダイオードを保持する中空状の第２の保持部と、
前記第１の保持部と前記第２の保持部とを連結する連結部とを備え、
前記第１の保持部によって相対的に大きい発光ダイオードを保持する場合、前記連結部が切断されることによって発光ダイオード用ホルダーから前記第２の保持部が取り除かれ、前記第２の保持部によって相対的に小さい発光ダイオードを保持する場合、前記連結部によって前記第１の保持部と前記第２の保持部とが連結された状態が維持される、発光ダイオード用ホルダー。
【請求項３】
前記第１の保持部は、前記第１の内壁に連なる第１の頂面をさらに含み、前記第２の保持部は、前記第２の内壁に連なる第２の頂面をさらに含み、前記第１の頂面と前記第２の頂面とは、ほぼ同一平面上に延在する、請求項２に記載の発光ダイオード用ホルダー。
【請求項４】
前記連結部は、前記第１および第２の頂面に近接して設けられている、請求項２または３に記載の発光ダイオード用ホルダー。
【請求項５】
前記透明樹脂は、先端部をさらに含み、発光ダイオード用ホルダーは、プリント配線板の主表面上に位置決めされ、
前記主表面から相対的に大きい発光ダイオードの前記先端部までの距離と、前記主表面から相対的に小さい発光ダイオードの前記先端部までの距離とはほぼ等しい、請求項２から４のいずれか１項に記載の発光ダイオード用ホルダー。
【発明の詳細な説明】
【０００１】
【発明の属する技術分野】
この発明は、一般的には、プリント配線板などに対して発光ダイオードを所定の姿勢で保持する発光ダイオード用ホルダーに関し、より特定的には、大きさの異なる複数種類の発光ダイオードを選択的に保持することが可能な発光ダイオード用ホルダーに関する。
【０００２】
【従来の技術】
従来、部品の製造コストや管理コストの低減化を図ることを目的としたＬＥＤの実装構造であって、大きさの異なるＬＥＤに共通のホルダーを適用させることができるＬＥＤの実装構造が特開２００３−５１６１９号公報に開示されている（特許文献１）。
【０００３】
図５は、特許文献１に開示されているＬＥＤの実装構造を示す断面図である。図５を参照して、ホルダ１１０には、直径が５ｍｍのＬＥＤ１１１の本体部１１２を所定の姿勢で搭載可能な凹段部１１０ａと、この凹段部１１０ａの内側に露出し、直径が３ｍｍのＬＥＤ１１４の本体部１１５を所定の姿勢で搭載可能な凹段部１１０ｂとが設けられている。
【０００４】
凹段部１１０ａの直径は、ＬＥＤ１１１の鍔部１１２ａを径方向に位置決め可能なように約５ｍｍに設定されており、凹段部１１０ｂの直径は、ＬＥＤ１１４の鍔部１１５ａを径方向に位置決め可能なように約３ｍｍに設定されている。ホルダ１１０の凹段部１１０ｂの内底面には、ＬＥＤ１１１のリード端子１１３やＬＥＤ１１４のリード端子１１６を挿通するための端子挿通孔１１０ｃが形成されている。ＬＥＤ１１１または１１４は、ホルダ１１０を介して回路基板１１７に実装される。
【０００５】
このように構成されたホルダ１１０には、大小２種類のＬＥＤ１１１および１１４を適用させることができる。たとえば、比較的広い領域を明るく照光する場合には、直径が５ｍｍのＬＥＤ１１１をホルダ１１０に適用させ、オン／オフ視認用などごく狭い領域を照光する場合には、直径が３ｍｍのＬＥＤ１１４をホルダ１１０に適用させる。
【０００６】
【特許文献１】
特開２００３−５１６１９号公報
【０００７】
【発明が解決しようとする課題】
特許文献１に開示されているＬＥＤの実装構造では、ＬＥＤ１１１の鍔部１１２ａが凹段部１１０ａの内壁に嵌め合わされることによって、ＬＥＤ１１１がホルダ１１０に所定の姿勢で保持されている。同様に、ＬＥＤ１１４の鍔部１１５ａが凹段部１１０ｂの内壁に嵌め合わされることによって、ＬＥＤ１１４がホルダ１１０に所定の姿勢で保持されている。
【０００８】
しかし、ＬＥＤ１１１および１１４は、それぞれ鍔部の頂面側から上方に延びる本体部を有している。したがって、ＬＥＤ１１１および１１４は、高さ方向の一部のみがホルダ１１０に保持されているにすぎない。このため、組み立て時や搬送時に発生する振動や衝撃によって、ＬＥＤ１１１および１１４の保持された位置がずれたり、ＬＥＤ１１１および１１４がホルダ１１０からはずれたりするおそれがある。
【０００９】
また、ＬＥＤ１１１および１１４の高さ方向の位置は、それぞれの鍔部が凹段部１１０ａまたは１１０ｂの内底面に当接することによって決定される。しかし、相対的に大きいＬＥＤ１１１が保持される凹段部１１０ａは、相対的の小さいＬＥＤ１１４が保持される凹段部１１０ｂよりも高い位置に設けられている。このため、ホルダ１１０にＬＥＤ１１１を適用した場合の本体部１１２の位置は、ホルダ１１０にＬＥＤ１１４を適用した場合の本体部１１５の位置よりも突出する。
【００１０】
この場合、回路基板１１７とＬＥＤとの位置関係が、ホルダ１１０にＬＥＤ１１１および１１４のいずれを適用させるかで変わってしまう。このため、ＬＥＤ１１１および１１４の輝度の変化が大きくなりすぎたり、ＬＥＤ１１１をホルダ１１０に適用させた場合に、回路基板１１７の近傍に設けた部品とＬＥＤ１１１とが干渉したりするおそれがある。
【００１１】
そこでこの発明の目的は、上記の課題を解決することであり、大きさの異なる複数種類の発光ダイオードを選択的に保持できるとともに、各々の発光ダイオードを確実に保持できる発光ダイオード用ホルダーを提供することである。
【００１２】
【課題を解決するための手段】
この発明の１つの局面に従った発光ダイオード用ホルダーは、発光ダイオードを大きさが異なる複数種類について選択的に保持することが可能である。発光ダイオードは、発光素子と、その発光素子を覆う透明樹脂とを備える。透明樹脂は、先端部および発光素子から発せられた光の光軸に沿った方向に延在する側面部を含む。
【００１３】
発光ダイオード用ホルダーは、相対的に大きい発光ダイオードを保持する中空状の第１の保持部と、第１の保持部の中空部分に配置され、相対的に小さい発光ダイオードを保持する中空状の第２の保持部と、第１の保持部と第２の保持部とを連結する連結部とを備える。第１の保持部は、発光ダイオードの側面部の全体に接触する第１の内壁と、第１の内壁に連なる第１の頂面とを含む。第２の保持部は、発光ダイオードの側面部の全体に接触する第２の内壁と、第２の内壁に連なり、第１の頂面とほぼ同一平面上に延在する第２の頂面とを含む。連結部は、第１および第２の頂面に近接して設けられている。
【００１４】
第１の保持部によって相対的に大きい発光ダイオードを保持する場合、連結部が切断されることによって発光ダイオード用ホルダーから第２の保持部が取り除かれる。第２の保持部によって相対的に小さい発光ダイオードを保持する場合、連結部によって第１の保持部と第２の保持部とが連結された状態が維持される。
【００１５】
発光ダイオード用ホルダーがプリント配線板の主表面上に配置される場合、主表面から相対的に大きい発光ダイオードの先端部までの距離と、主表面から相対的に小さい発光ダイオードの先端部までの距離とはほぼ等しい。
【００１６】
このように構成された発光ダイオード用ホルダーによれば、大きさの異なる複数種類の発光ダイオードを共通の発光ダイオード用ホルダーで保持することができる。これにより、発光ダイオード用ホルダーの製造コストや管理コストの削減を図ることができる。また、相対的に大きい発光ダイオードを保持する場合の作業として連結部を切断するのみで良いため、発光ダイオードの組み付け作業時に大きな手間が生じることがない。さらに、発光ダイオードは、透明樹脂の側面部の全体と第１または第２の内壁とが接触して保持される。これにより、発光ダイオードは、第１または第２の保持部に確実に保持されるため、発光ダイオードの位置ずれ等を防止することができる。また、透明樹脂の内部を拡散する光は、第１および第２の内壁によって発光ダイオードの光軸方向に反射される。このため、発光ダイオードから発せられる光の指向性を向上させることができる。
【００１７】
また、第１の頂面と第２の頂面とは、ほぼ同一平面上に延在している。したがって、第２の保持部は、第１の保持部の中空部分に完全に収容された状態で設けられている。このため、第２の保持部によって相対的に小さい発光ダイオードを保持する状態と、第２の保持部を取り除いた後、第１の保持部によって相対的に大きい発光ダイオードを保持する状態とで、発光ダイオード用ホルダーの外形寸法が変わらない。これにより、大小いずれの発光ダイオードを保持するかにかかわらず、発光ダイオード用ホルダーの設置位置などに関して統一的な設計を行なうことができる。
【００１８】
また、連結部は、第１および第２の頂面に近接して設けられている。このため、連結部は、第１および第２の頂面側に露出するように設けられている。これにより、ニッパー等の切断用治具を連結部の切断箇所に容易に近づけることができる。
【００１９】
また、プリント配線板の主表面から相対的に大きい発光ダイオードの先端部までの距離と、プリント配線板の主表面から相対的に小さい発光ダイオードの先端部までの距離とはほぼ等しい。このため、大小いずれの発光ダイオードを保持する場合であっても、透明樹脂の先端部の位置は変化しない。これにより、発光ダイオードから発せられる光の輝度や発光ダイオードの配置位置に関して、設計時に統一的な取り扱いを行なうことができる。
【００２０】
この発明の別の局面に従った発光ダイオード用ホルダーは、発光ダイオードを大きさが異なる複数種類について選択的に保持することが可能である。発光ダイオードは、発光素子と、発光素子を覆う透明樹脂とを備える。透明樹脂は、発光素子から発せられた光の光軸に沿った方向に延在する側面部を含む。
【００２１】
発光ダイオード用ホルダーは、相対的に大きい発光ダイオードを保持する中空状の第１の保持部と、第１の保持部の中空部分に配置され、相対的に小さい発光ダイオードを保持する中空状の第２の保持部と、第１の保持部と第２の保持部とを連結する連結部とを備える。第１の保持部は、発光ダイオードの側面部の全体に接触する第１の内壁を含む。第２の保持部は、発光ダイオードの側面部の全体に接触する第２の内壁を含む。
【００２２】
第１の保持部によって相対的に大きい発光ダイオードを保持する場合、連結部が切断されることによって発光ダイオード用ホルダーから第２の保持部が取り除かれる。第２の保持部によって相対的に小さい発光ダイオードを保持する場合、連結部によって第１の保持部と第２の保持部とが連結された状態が維持される。
【００２３】
このように構成された発光ダイオード用ホルダーによれば、大きさの異なる複数種類の発光ダイオードを共通の発光ダイオード用ホルダーで保持することができる。これにより、発光ダイオード用ホルダーの製造コストや管理コストの削減を図ることができる。また、相対的に大きい発光ダイオードを保持する場合の作業として連結部を切断するのみで良いため、発光ダイオードの組み付け作業時に大きな手間が生じることがない。さらに、発光ダイオードは、透明樹脂の側面部の全体と第１または第２の内壁とが接触して保持される。これにより、発光ダイオードは、第１または第２の保持部に確実に保持されるため、発光ダイオードの位置ずれ等を防止することができる。また、透明樹脂の内部を拡散する光は、第１および第２の内壁によって発光ダイオードの光軸方向に反射される。このため、発光ダイオードから発せられる光の指向性を向上させることができる。
【００２４】
また好ましくは、第１の保持部は、第１の内壁に連なる第１の頂面をさらに含む。第２の保持部は、第２の内壁に連なる第２の頂面をさらに含む。第１の頂面と第２の頂面とは、ほぼ同一平面上に延在する。このように構成された発光ダイオード用ホルダーによれば、第２の保持部は、第１の保持部の中空部分に完全に収容された状態で設けられている。このため、第２の保持部によって相対的に小さい発光ダイオードを保持する状態と、第２の保持部を取り除いた後、第１の保持部によって相対的に大きい発光ダイオードを保持する状態とで、発光ダイオード用ホルダーの外形寸法が変わらない。これにより、大小いずれの発光ダイオードを保持するかにかかわらず、発光ダイオード用ホルダーの設置位置などに関して統一的な設計を行なうことができる。
【００２５】
また好ましくは、連結部は、第１および第２の頂面に近接して設けられている。このように構成された発光ダイオード用ホルダーによれば、連結部は、第１および第２の頂面側に露出するように設けられている。このため、ニッパー等の切断用治具を連結部の切断箇所に容易に近づけることができる。
【００２６】
また好ましくは、透明樹脂は、先端部をさらに含む。発光ダイオード用ホルダーは、プリント配線板の主表面上に位置決めされる。主表面から相対的に大きい発光ダイオードの先端部までの距離と、主表面から相対的に小さい発光ダイオードの先端部までの距離とはほぼ等しい。このように構成された発光ダイオード用ホルダーによれば、大小いずれの発光ダイオードを保持する場合であっても、主表面から透明樹脂の先端部までの距離が変化しない。これにより、発光ダイオードから発せられる光の輝度や発光ダイオードの配置位置に関して、設計時に統一的な取り扱いを行なうことができる。
【００２７】
【発明の実施の形態】
この発明の実施の形態について、図面を参照して説明する。
【００２８】
図１は、この発明の実施の形態における発光ダイオード用ホルダーを示す斜視図である。図１を参照して、発光ダイオード用ホルダー１は、ＶＣＲ（ｖｉｄｅｏ  ｃａｓｓｅｔｔｅ  ｒｅｃｏｒｄｅｒ）５０に適用されている。
【００２９】
ＶＣＲ５０の筐体の一部を構成するフロントパネル５１には、再生、録画などの各操作を行なうためのボタンや、ＶＣＲ５０で現在行なわれている状態を表示するインジケータなどが設けられている。そのインジケータの１つとして、録画タイマーをセットした時に点灯するインジケータ５２ａが設けられている。インジケータ５２ａは、フロントパネル５１の表面からＶＣＲ５０の筐体内部に向けて延びる直方体のレンズ５２によって構成されている。
【００３０】
ＶＣＲ５０の筐体の内部には、プリント配線板５３が設けられている。プリント配線板５３は、フロントパネル５１に平行に延在する主表面を有し、その主表面には、所定の回路がプリントされている。フロントパネル５１の主表面上には、発光ダイオード２０が保持された発光ダイオード用ホルダー１が取り付けられている。発光ダイオード２０は、その先端部がレンズ５２の端面５２ｂに近接するように位置決めされている。発光ダイオード２０から発せられた光がレンズ５２の内部を拡散することによって、インジケータ５２ａを点灯させることができる。
【００３１】
図２は、図１中のＩＩ−ＩＩ線上に沿った断面図である。図１および図２を参照して、発光ダイオード用ホルダー１は、合成樹脂などによって形成されており、全体が一体成形されている。
【００３２】
発光ダイオード用ホルダー１は、相対的に小さい直径が３ｍｍの発光ダイオードと、相対的に大きい直径が５ｍｍの発光ダイオードとを選択的に保持することができるホルダーである。発光ダイオード用ホルダー１は、直径が５ｍｍの発光ダイオードを保持するための保持部２と、直径が３ｍｍの発光ダイオード２０を保持するための保持部３と、保持部２および３を互いに接続する連結部４とを備える。図２中では、保持部３によって直径が３ｍｍの発光ダイオード２０が保持されている発光ダイオード用ホルダー１が示されている。
【００３３】
保持部２および３は、それぞれ円筒形状に形成されている。保持部２は、内径Ｒが５ｍｍに設定された内壁２ｂと、内壁２ｂに直交し、環状に延在する頂面２ａと、内壁２ｂによって規定された中空部分の一方端を塞ぐ底面２ｃとを有する。保持部２の底面２ｃには、図２の紙面の奥行き方向に延びるスリット状の開口部６が形成されている。
【００３４】
保持部３は、保持部２の中空部分に位置決めされている。保持部２と同様に、保持部３は、内径ｒが３ｍｍに設定された内壁３ｂと、内壁３ｂに直交し、環状に延在する頂面３ａと、内壁３ｂによって規定された中空部分の一方端を塞ぐ底面３ｃとを有する。保持部３の底面３ｃには、図２の紙面の奥行き方向に延びるスリット状の開口部５が形成されている。頂面２ａと頂面３ａとは、同一平面上に延在している。
【００３５】
頂面２ａおよび３ａを正面から見た場合に、連結部４は、９０°ずつ隔てた４箇所に設けられている。連結部４は、保持部２の内壁２ｂから保持部３の外周面に向かって延在している。連結部４は、頂面２ａおよび３ａと同一平面上に連なる頂面４ａを有する。つまり、連結部４は、頂面２ａおよび３ａの近傍に設けられている。なお、本実施の形態では、連結部４を頂面２ａおよび３ａの近傍に設けたが、本発明はこれに限定されるものではない。連結部４は、保持部２の内壁２ｂと保持部３との隙間、および保持部２の底面２ｃと保持部３との隙間のいずれの部分に設けられても良い。
【００３６】
保持部２を挟んだ頂面２ａの反対側には、先端が鉤型に形成された取り付け部７が設けられている。取り付け部７をプリント配線板５３の孔５４に差し込むことによって、発光ダイオード用ホルダー１をプリント配線板５３に取り付けることができる。これにより、本実施の形態では、発光ダイオードから発せられる光の光軸に沿った方向（矢印１１に示す方向）がプリント配線板５３の主表面に対して垂直方向となるように発光ダイオードが位置決めされる。
【００３７】
保持部３に保持されている発光ダイオード２０は、図示しない発光素子と、発光素子の周りを覆う透明樹脂２１と、発光素子に接続され、発光ダイオード２０の底面部２０ｃ側から引き出された２本のリード端子２２とから構成されている。リード端子２２は、開口部５および６に挿通されている。リード端子２２の先端は、プリント配線板５３の主表面に形成された回路の所定位置にはんだ付けされる。なお、図２中では、リード端子２２が１本しか示されていないが、紙面の奥行き方向にずれて残る１本が設けられている。
【００３８】
透明樹脂２１は、先端部２１ａと側面部２１ｂとを有する。側面部２１ｂは、発光ダイオード２０から発せられる光の光軸に沿った方向（矢印１１に示す方向）に延在している。発光ダイオード２０は、側面部２１ｂの全体が内壁３ｂに接触するように保持部３に保持されている。このため、発光ダイオード用ホルダー１に外部から振動が加わった場合であっても、発光ダイオード２０を確実に保持することができる。
【００３９】
また、発光素子から発せられた光は、透明樹脂２１の内部を拡散して外部に出射される。この際、側面部２１ｂから出射しようとする光は内壁３ｂによって反射されるため、発光ダイオード２０から発せられる光の指向性を向上させることができる。特に、インジケータ５２ａを点灯させる本実施の形態のように発光ダイオード２０によって狭い領域を照らしたい場合には、このような効果が特に有効に作用する。
【００４０】
先端部２１ａは、矢印１１に示す方向で発光素子から最も離れている透明樹脂２１の部分である。先端部２１ａは、透明樹脂２１の丸みをもって形成された部分の先端に位置している。発光ダイオード２０が保持部３に保持された状態で、先端部２１ａは、頂面３ａが延在する平面上に接している。つまり、プリント配線板５３の主表面から先端部２１ａまでの距離と、プリント配線板５３の主表面から頂面３ａまでの距離とが等しくなっている。
【００４１】
続いて、発光ダイオード用ホルダー１を用いて相対的に大きい直径が５ｍｍの発光ダイオードを保持する場合について説明する。図３は、一方の保持部が取り除かれる発光ダイオード用ホルダーを示す断面図である。
【００４２】
図３を参照して、ニッパーなどを用いて保持部２の内壁２ｂに連なる連結部４の部分４ｍ（４箇所）を切断することによって、保持部３を保持部２から切り離す。このとき、連結部４は頂面２ａおよび３ａの近傍に設けられているため、ニッパーを容易に連結部４の切断箇所に挿入することができる。連結部４の切断後、発光ダイオード用ホルダー１から保持部２を取り除く。
【００４３】
図４は、相対的に大きい発光ダイオードが保持された状態の発光ダイオード用ホルダーを示す断面図である。図４に示す断面位置は、図２に示す断面位置に相当する。図４を参照して、保持部２には、相対的に大きい発光ダイオードであって、直径が５ｍｍの発光ダイオード３０が保持されている。発光ダイオード用ホルダー１から保持部３が取り除かれているため、保持部３を干渉させることなく、発光ダイオード３０を保持することができる。
【００４４】
図２中に示す発光ダイオード２０と同様に、発光ダイオード３０は、図示しない発光素子と、透明樹脂３１と、２本のリード端子３２とから構成されている。リード端子３２は、開口部６に挿通されている。リード端子３２の先端は、プリント配線板５３の主表面に形成された回路の所定位置にはんだ付けされる。
【００４５】
透明樹脂３１は、先端部３１ａと側面部３１ｂとを有する。側面部３１ｂは、発光ダイオード３０から発せられる光の光軸に沿った方向に延在している。発光ダイオード３０は、側面部３１ｂの全体が内壁２ｂに接触するように保持部２に保持されている。このため、発光ダイオード３０を確実に保持できるとともに、発光ダイオード３０から発せられる光の指向性を向上させることができる。
【００４６】
発光ダイオード３０が保持部２に保持された状態で、先端部３１ａは、頂面２ａが延在する平面上に接している。つまり、プリント配線板５３の主表面から先端部３１ａまでの距離と、プリント配線板５３の主表面から頂面２ａまでの距離とが等しくなっている。このため、発光ダイオード用ホルダー１によって発光ダイオード２０および３０のいずれを保持する場合であっても、発光ダイオードの先端部の位置は一致している。これにより、発光ダイオードから発せられる光の輝度や発光ダイオードの配置位置に関して、設計時に統一的な取り扱いを行なうことができる。
【００４７】
この発明の実施の形態における発光ダイオード用ホルダー１は、発光ダイオードを大きさが異なる複数種類について選択的に保持することが可能である。発光ダイオード２０および３０は、発光素子と、その発光素子を覆う透明樹脂２１および３１とを備える。透明樹脂２１および３１は、先端部２１ａおよび３１ａと、発光素子から発せられた光の光軸方向に沿って延在する側面部２１ｂおよび３１ｂとを含む。
【００４８】
発光ダイオード用ホルダー１は、相対的に大きい発光ダイオード３０を保持する中空状の第１の保持部としての保持部２と、保持部２の中空部分に配置され、相対的に小さい発光ダイオード２０を保持する中空状の第２の保持部としての保持部３と、保持部２と保持部３とを連結する連結部４とを備える。保持部２は、発光ダイオード３０の側面部３１ｂの全体に接触する第１の内壁としての内壁２ｂと、内壁２ｂに連なる第１の頂面としての頂面２ａとを含む。保持部３は、発光ダイオード２０の側面部２１ｂの全体に接触する第２の内壁としての内壁３ｂと、内壁３ｂに連なり、頂面２ａとほぼ同一平面上に延在する第２の頂面としての頂面３ａとを含む。連結部４は、頂面２ａおよび３ａに近接して設けられている。
【００４９】
保持部２によって相対的に大きい発光ダイオード３０を保持する場合、連結部４が切断されることによって発光ダイオード用ホルダー１から保持部３が取り除かれる。保持部３によって相対的に小さい発光ダイオード２０を保持する場合、連結部４によって保持部２と保持部３とが連結された状態が維持される。
【００５０】
発光ダイオード用ホルダー１がプリント配線板５３の主表面上に配置される場合、主表面から相対的に大きい発光ダイオード３０の先端部３１ａまでの距離と、主表面から相対的に小さい発光ダイオード２０の先端部２１ａまでの距離とはほぼ等しい。
【００５１】
なお、本実施の形態では、発光ダイオード用ホルダー１をＶＣＲ５０に適用した場合について説明したが、本発明はこれに限定されるものではない。たとえば、本発明による発光ダイオード用ホルダーを、ハードディスクレコーダ、ＤＶＤプレイヤーおよびテレビなどに適用しても良い。
【００５２】
また、本実施の形態では、発光ダイオードから発せられる光の光軸がプリント配線板５３に対して垂直方向を向くように、発光ダイオード用ホルダー１をプリント配線板５３に取り付けたが、発光ダイオード用ホルダーの取り付け方向は、適宜変更されても良い。たとえば、発光ダイオードから発せられる光の光軸がプリント配線板の主表面に平行方向を向くように、発光ダイオード用ホルダー１をプリント配線板５３に取り付けても良い。
【００５３】
また、保持部２および３の形状は、保持する発光ダイオードの形状に合わせて適宜変更されても良い。このため、頂面２ａおよび３ａが互いにずれた位置で延在することとなっても、本発明はこれを制限するものではない。
【００５４】
このように構成された発光ダイオード用ホルダー１によれば、直径が３ｍｍの発光ダイオード２０と直径が５ｍｍの発光ダイオード３０とを共通の発光ダイオード用ホルダーで保持することができる。これにより、発光ダイオード用ホルダーの製造コストや管理コストの削減を図ることができる。また、発光ダイオード２０および３０は、それぞれ保持部３および２によって確実に保持されているため、発光ダイオード２０および３０の保持された位置がずれるおそれがない。これにより、ＶＣＲ５０を使用する者は、録画タイマーがセットされたことをインジケータ５２ａの点灯によって常に確認することができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
【発明の効果】
以上説明したように、この発明に従えば、大きさの異なる複数種類の発光ダイオードを選択的に保持できるとともに、各々の発光ダイオードを確実に保持できる発光ダイオード用ホルダーを提供することができる。
【図面の簡単な説明】
【図１】この発明の実施の形態における発光ダイオード用ホルダーを示す斜視図である。
【図２】図１中のＩＩ−ＩＩ線上に沿った断面図である。
【図３】一方の保持部が取り除かれる発光ダイオード用ホルダーを示す断面図である。
【図４】相対的に大きい発光ダイオードが保持された状態の発光ダイオード用ホルダーを示す断面図である。
【図５】特許文献１に開示されているＬＥＤの実装構造を示す断面図である。
【符号の説明】
１  発光ダイオード用ホルダー、２，３  保持部、２ａ，３ａ  頂面、２ｂ，３ｂ  内壁、４  連結部、２０，３０  発光ダイオード、２１，３１  透明樹脂、２１ａ，３１ａ  先端部、２１ｂ，３１ｂ  側面部、５３  プリント配線板。
【図１】
2005019613.tif 000003
【図２】
2005019613.tif 000004
【図３】
2005019613.tif 000005
【図４】
2005019613.tif 000006
【図５】
2005019613.tif 000007